(57)【特許請求の範囲】
【請求項１】
内部に他の竿体を収納可能な筒状竿体の竿元側端部に取り付けられる尻栓であって、
前記筒状竿体の竿元側端部に固定される本体部と、
前記筒状竿体の内部に竿元側から挿入されるように前記本体部に連結された円柱状の第１弾性部と、
前記本体部に連結され前記第１弾性部内に軸方向に柱立する前記第１弾性部より弾性の小さい第２弾性部と
を備えた尻栓。
【請求項２】
前記第２弾性部の穂先側端部は前記第１弾性部の穂先側面より竿元側に位置している、請求項１に記載の尻栓。
【請求項３】
前記第２弾性部は、前記第１弾性部内に周方向に間隔を隔てて複数配置されている、請求項１または２に記載の尻栓。
【請求項４】
前記本体部は前記筒状竿体の竿元側端部に螺合可能な雄ねじ部を有している、請求項１〜３のいずれかに記載の尻栓。
【発明の詳細な説明】
【０００１】
【発明の属する技術分野】
本発明は、中通し竿、特に振出形式で連結され内部に釣糸を挿通可能な中通し竿の元竿の竿元側に取り付けられる尻栓に関する。
【０００２】
【従来の技術】
従来の振出式の中通し竿は、内部に釣糸通路を有する内部竿体と、内部竿体の竿元側に連結され内部竿体を内部に収納可能な外部竿体とを備えている。外部竿体は、外周面に設けられリールを取り付け可能なリールシートと、リールシートの穂先側に設けられた釣糸導入孔とを有している。そして、竿尻側端部には栓状の尻栓がはめ込まれている。また、内部竿体の穂先側先端にはトップガイドが設けられている。
【０００３】
この従来の中通し竿は、使用時には、内部竿体を外部竿体より引き出して固定して１本の竿体として使用する。そして、外部竿体の外周面に設けられたリールからの釣糸は、釣糸導入孔から竿体内の釣糸通路に導入され、竿体の穂先側先端に設けられたトップガイドから外部に導かれる。また、竿収納時には、内部竿体を外部竿体内に収納してコンパクトな状態にする。ここで、釣糸を釣糸通路に通したままで収納する場合、内部竿体を外部竿体の竿尻側端部まで挿入して収納すると、糸導入孔から導入された釣糸は、外部竿体の竿尻側端部にまで挿入された内部竿体の竿尻側端部まで一旦導かれ、そこで折り返されて内部竿体内を穂先側へ導かれることになる。
【０００４】
【発明が解決しようとする課題】
従来の中通し竿において釣糸を釣糸通路に通したまま収納した場合、内部竿体の竿尻側端面と外部竿体の尻栓との間に釣糸を踏み込んで、釣糸と竿体とが互いに傷付け合う場合がある。この問題を解決するために、従来の中通し竿の尻栓では、柔らかいネオプレン等の弾性クッションを取り付けたものがある。
【０００５】
しかし、この従来の尻栓を長期間使用していると、内部竿体の重さにより弾性クッションが変形してつぶれてしまい、クッション作用が低下して釣竿と釣糸とが損傷し合うのを十分に防止できなくなる場合がある。特に、船竿などの内部竿体が重い釣竿ではこの傾向が著しい。
本発明の課題は、長期にわたって内部竿体と外部竿体とが糸を挟み込んで竿体と釣糸とが傷付け合うのを防止できる尻栓を提供することにある。
【０００６】
【課題を解決するための手段】
発明１にかかる尻栓は、内部に他の竿体を収納可能な筒状竿体の竿元側端部に取り付けられる尻栓であって、筒状竿体の竿元側端部に固定される本体部と、筒状竿体の内部に竿元側から挿入されるように本体部に連結された円柱状の第１弾性部と、本体部に連結され第１弾性部内に軸方向に柱立する第１弾性部より弾性の小さい第２弾性部とを備えている。
【０００７】
この場合には、尻栓を取り付けた筒状の竿体の内部に他の竿体を収納すると、第１弾性部が他の竿体の竿尻側端部を受け止める。ここで、第１弾性部が他の竿体の重さによって竿尻方向に強く押さえつけられると、第２弾性部が他の竿体からの力を受け止める。第１弾性部は第１弾性部に比べて弾性の小さい部材からなり、他の竿体によって第１弾性部が強く押さえつけられた場合に補助的に他の竿体を支えるのである。この結果、例えば中通し竿において釣糸を内部に通したままで竿体を収納しても、まず、竿体が釣糸を踏み込んで竿体と釣糸とが互いに傷付けあうのを第１弾性部が防止し、続いて、この第１弾性部が大きな力を受けて型くずれするのを第２弾性部材が防止する。
【０００８】
この第１弾性部として用いられるものとしては、ネオプレン，ポリウレタン等の比較的柔らかいスポンジ状の弾性部材が例示できる。また、第２弾性部としては、天然ゴム，スチレンゴム，ブタジエンゴム，コルク等の第１弾性部より弾性が小さいものが例示できる。
発明２にかかる釣竿は、発明１の釣竿であって、第２弾性部の穂先側端部は第１弾性部の穂先側面より竿元側に位置している。
【０００９】
この場合には、第１弾性部の穂先側面より竿元側に第２弾性部の穂先側端部が位置するように配置されており、収納される他の竿体の竿元側端部が最初に直接第２弾性部に接触することはない。この結果、他の竿体が収納時に尻栓から受ける衝撃は極力小さなものとなる。
発明３にかかる尻栓は、発明１または２の尻栓であって、第２弾性部は、第１弾性部内に周方向に間隔を隔てて複数配置されている。
【００１０】
この場合には、周方向に複数配置された第２弾性部が第１弾性部の型崩れ変形を良好に防止する。
発明４にかかる尻栓は、発明１〜３のいずれかの尻栓であって、本体部は筒状竿体の竿元側端部に螺合可能な雄ねじ部を有している。
この場合には、本体部に形成された雄ねじ部を筒状竿体の竿元側端部に螺合させることにより、尻栓を竿体に容易に脱着自在に取り付け可能である。
【００１１】
【発明の実施の形態】
［第１実施形態］
以下、本発明の第１実施形態について、図面を参照しつつ説明する。
図１及び図２に示すように、本発明の第１実施形態を採用した中通し竿は、筒状の外部竿体１と、外部竿体１の穂先側に外部竿体１内に順次挿入され収納可能なように連結された複数の内部竿体２とを有している。
【００１２】
外部竿体１は、先細りのテーパが形成された筒状部材であり、竿元側端部にはめ込まれた尻栓３と、尻栓３の穂先側の外周面に形成されたリール５が取り付け可能なリールシート４と、リール５からの釣糸Ｌを内部に挿入するための釣糸導入孔６とを有している。また、外部竿体１の竿元側端部の内周面には雌ねじ部が形成されており、後述の尻栓３が螺合可能になっている。
【００１３】
内部竿体２は、複数の筒状竿体２１，２２，２３を有しており、竿体２１，２２，２３は振出式に連結され、順次竿元側に収納可能である。また、最も穂先側の内部竿体２の穂先側端部にはトップガイド７が設けられている。そして、リール５から導かれた釣糸Ｌは釣糸導入孔６から外部竿体１及び内部竿体２の内部に導入され、穂先のトップガイド７から外部に導かれる。
【００１４】
図３に示すように、尻栓３は、円柱状の本体部１１と、本体部１１の穂先側に本体部１１よりやや小径に設けられた第１弾性部１２と、本体部１１に連結され第１弾性部１１内に軸方向に突出した複数の柱状の第２弾性部１３とを有している。
本体部１１は外部竿体１の竿元側の外径に合致するように形成された円柱状部材であり、穂先側の一部は外部竿体１の竿元側の内径に合致するように他の部分より小径に形成されている。そして、この小径に形成された部分にはねじ山が形成されており、雄ねじ部１１ａとなっている。
【００１５】
第１弾性部１２は、外部竿体１の竿元側の内径よりもやや小径に、即ち、本体部１１より小径に形成された円筒状部材である。ネオプレン，ポリウレタン等の比較的柔らかいスポンジ状の弾性部材から形成されており、周方向には所定の間隔を隔てて複数の孔１２ａが軸方向に形成されている。この第１弾性部１２は本体部１１に接着剤等で接着されて固定されている。
【００１６】
第２弾性部１３は、天然ゴム，スチレンゴム，ブタジエンゴム，コルク等から形成された細柱状の部材である。本体部１１に接着剤等で接着され固定されており、本体部１１から穂先側に突出し、第１弾性部１２の孔１２ａ内に配置されている。この第２弾性部１３の軸方向の長さは第１弾性部１１の軸方向の長さに比べてやや短く、第２弾性部１３の穂先側端部は第１弾性部１１の穂先側端面より穂先側に突出せず、孔１２ａ内に収納された状態になっている。
【００１７】
このように構成された中通し竿では、外部竿体１の竿尻側端部に尻栓３の雄ねじ部１１ａを螺合させて、外部竿体１に脱着自在に尻栓３を固定する。この尻栓３を取り付けた外部竿体１の内部に穂先側から内部竿体２を収納すると、まず、第１弾性部１２が内部竿体２の竿尻側端部を受け止める。ここで、第１弾性部が内部竿体２の重さによって竿元方向に強く押さえつけられると、第１弾性部１２は自らの弾性によって収縮して、第２弾性部が内部竿体２からの力を受け止める。即ち、釣糸を内部に通したままで内部竿体２を外部竿体１内に収納しても、竿体が釣糸を踏み込んで竿体と釣糸とが互いに傷付けあうのを第１弾性部が防止し、続いて、この第１弾性部が大きな力を受けて型くずれするのを第２弾性部材が防止する。
【００１８】
さらに、第１弾性部１２の穂先側面より竿元側に第２弾性部１３の穂先側端部が位置するように配置されているので、収納される内部竿体２の竿元側端部が比較的弾性の小さい第２弾性部１３に直接接触することはない。この結果、内部竿体２が収納時に尻栓３から受ける衝撃が極力小さくなる。
［第２実施形態］
以下、本発明の第２実施形態について、図面を参照しつつ説明する。
【００１９】
本発明の第１実施形態を採用した中通し竿の尻栓３０は、図５に示すように、円柱状の本体部３１と、本体部３１の穂先側に脱着自在に固定された第１弾性部３２と、本体部３１に連結され穂先側に突出した複数の柱状の第２弾性部３３とを有している。
本体部３１は外部竿体１の竿元側の外径に合致するように形成された円柱状部材であり、穂先側の一部は外部竿体１の竿元側の内径に合致するように他の部分より小径に形成されている。そして、この小径に形成された部分にはねじ山が形成されており、雄ねじ部３１ａとなっている。
【００２０】
第２弾性部３３は、天然ゴム，スチレンゴム，ブタジエンゴム，コルク等から形成された細柱状の部材である。本体部３１に接着剤等で接着され固定されており、周方向に所定の間隔を隔てて穂先側に突出している。
第１弾性部３２は、外部竿体１の竿元側の内径よりもやや小径に、即ち、本体部３１より小径に形成された円筒状部材である。ネオプレン，ポリウレタン等の比較的柔らかいスポンジ状の弾性部材から形成されている。また、竿元側の端面には周方向に所定の間隔を隔てて複数の孔３２ａが形成されており、この複数の孔３２ａは貫通することなく軸方向に形成されている。そして、この第１弾性部３２の孔３２ａに第２弾性部３３が挿入された状態で、第１弾性部３２は本体部３１に脱着自在に固定されている。
【００２１】
このように構成された中通し竿では、第１実施形態と同様の作用効果を奏する。また、第１弾性部３２は脱着自在に本体部３１に固定されているので、第１脱着部材３２が損傷しまたは汚れてしまった場合には、第１弾性部３２を容易に交換できる。
［他の実施形態］
（ａ）図６に示すように、第２弾性部４３を１つ柱状に形成し、この第２弾性部４３をキャップ状に覆うように第１弾性部４２を配置してもいよい。
【００２２】
【発明の効果】
本発明に係る尻栓によれば、第１弾性部と第１弾性部より弾性の小さい第２弾性部とを有しているので、型崩れすることなく長期にわたって内部竿体と外部竿体とが糸を挟み込んで竿体と釣糸とが傷付け合うのを防止できる。
【図面の簡単な説明】
【図１】本発明の第１実施形態を採用した中通し竿の全体図。
【図２】図１の中通し竿において内部竿体２を外部竿体１内に収納した状態を示す図。
【図３】図１の尻栓３の拡大図。
【図４】図３のIV−IV断面図。
【図５】本発明の第２実施形態を採用した尻栓の拡大図。
【図６】本発明の他の実施形態を採用した尻栓の拡大図。
【符号の説明】
１  外部竿体
２  内部竿体
３，３０  尻栓
１１，３１  本体部
１２，３２  第１弾性部
１３，３３  第２弾性部
【図１】
0003922499.tif 000002
【図２】
0003922499.tif 000003
【図３】
0003922499.tif 000004
【図４】
0003922499.tif 000005
【図５】
0003922499.tif 000006
【図６】
0003922499.tif 000007